(57)【要約】【課題】プラグコネクタをリセプタクルコネクタに接続した際に、リセプタクルコネクタにおいて接続による集中応力が発生する箇所が変形してしまうことを効果的に防止すること。【解決手段】ケーブルＣの一端に設けたコネクタ１００を、基板Ｐに取着した相手方コネクタ２０２に接続するためのコネクタ装置１であって、コネクタ１００を前記相手方コネクタ２０２に接続した際に、前記相手方コネクタ２０２において接続による集中応力が発生する箇所２０４Ｒが変形しないように、当該箇所を基板Ｐに対して固定する、外曲片２２２を有する固定手段２１３Ｒを設ける。【選択図】図２
2006344524.tif 000002
【特許請求の範囲】
【請求項１】
ケーブル（Ｃ）及びその一端に接続された端子（１２１）をハウジング（１０７）に有するコネクタ（１００）と、
このコネクタ（１００）が接続される相手方コネクタ（２０２）と、を有するコネクタ装置（１）であって、
前記相手方コネクタ（２０２）は、
相手方ハウジング（２０７）と、
この相手方ハウジング（２０７）に設けられ、前記コネクタとの接続の際に前記コネクタの端子（１２１）と接触し、かつ基板に固定される相手方端子（２２１）と、
前記相手方ハウジング（２０７）において、前記相手方端子（２２１）の設置箇所と対向する箇所に前記ケーブル（Ｃ）が挿通される部位として形成されたケーブル挿通部（２０４Ｒ）と、
このケーブル挿通部（２０４Ｒ）を前記基板（Ｐ）に対して固定する固定手段（２１３Ｒ，２２２）とを有することを特徴とするコネクタ装置（１）。
【請求項２】
前記固定手段（２１３Ｒ，２２２）は、前記ケーブル挿通部（２０４Ｒ）に当接又は埋設されて前記ケーブル挿通部（２０４Ｒ）を支持する支持部（２１３Ｒ）と、この支持部（２１３Ｒ）に一体形成され前記基板（Ｐ）に半田付けされる固着部（２２２）とを有することを特徴とする請求項１に記載のコネクタ装置（１）。
【請求項３】
前記固定手段（２１３Ｒ，２２２）は、前記コネクタ（１００）を前記相手方コネクタ（２０２）に接続した際に前記ケーブル（Ｃ）を流れるノイズをグランドに流す金属部材であることを特徴とする請求項２に記載のコネクタ装置（１）。
【請求項４】
前記コネクタ（１００）及び前記相手側コネクタ（２０２）のうちの少なくとも一方には、両コネクタ（１００，２０２）の接続の際に他方のコネクタに掛止される掛止部（２１９）を有することを特徴とする請求項１〜３のいずれかに記載のコネクタ装置（１）。
【請求項５】
前記掛止部（２１９）は、前記コネクタ（１００）又は前記相手方コネクタ（２０２）に掛止する弾性片（２１９）であって、前記相手方コネクタ（２０２）又は前記コネクタ（１００）には、この弾性片（２１９）が入る開口（１１４）が形成されていることを特徴とする請求項４に記載のコネクタ装置（１）。
【請求項６】
前記相手方ハウジング（２０７）は、前記ケーブル（Ｃ）を流れるノイズをグランドに流す金属板（２０９）を備え、この金属板（２０９）に前記固定手段（２１３Ｒ，２２２）が形成されていることを特徴とする請求項５に記載のコネクタ装置（１）。
【請求項７】
前記金属板（２０９）の一部に前記掛止部（２１９）が形成されていることを特徴とする請求項６に記載のコネクタ装置（１）。
【発明の詳細な説明】
【技術分野】
【０００１】
本発明はコネクタ装置に関する。
【背景技術】
【０００２】
携帯電話機やパーソナルコンピュータ等、多量の情報を伝達する通信機器では、高い周波数の信号を伝達するケーブルとして同軸ケーブルが用いられている。
このような同軸ケーブルを平面的に多数並列してフラット状とし、それらの両端にプラグコネクタを取り付けることでケーブル付きプラグコネクタが形成される。
【０００３】
ケーブル付きプラグコネクタを介して、電子部品が多数取着された基板同士を接続することにより、各基板に取付けられている電子部品間でデータの信号の各種処理や電源供給等の電気の伝搬が行われる。
【０００４】
一方、携帯電話機やパーソナルコンピュータその他の通信機器の軽薄短小化傾向は一層進んでいる。そして、軽薄短小化を実現するために、当然ながらこれら機器の一部品であるコネクタに対し、その低背化・小型化・軽量化の要求は高くなっている。またコネクタの低背化・小型化・軽量化が進むと、作業がしづらくなるが、作業性を向上させるための技術が要求される。
【０００５】
図１１は、ケーブル付きプラグコネクタＩを、そのプラグコネクタ３００と接合される相手方コネクタ、いわゆるリセプタクルコネクタ３０２に接続する前の状態を示す。プラグコネクタ３００をリセプタクルコネクタ３０２に接続するには、基板Ｐ上に設けられたリセプタクルコネクタ３０２に対しプラグコネクタ３００を基板Ｐに対して平行に移動する。このようなコネクタ装置を水平式コネクタ装置と称する。
【０００６】
なお、符号Ｃは同軸ケーブルを示し、各ケーブルＣは、プラグコネクタ３００の端子（プラグコネクタの端子をプラグ側端子と呼称する。）と各々接続されている。プラグコネクタ３００とリセプタクルコネクタ３０２とが接続されると、リセプタクルコネクタ３０２の端子（リセプタクルコネクタの端子をリセ側端子と呼称する。）とプラグ側端子とが接触し、リセプタクルコネクタ３０２が設けられている基板Ｐ上の図示しない電子部品に対し、同軸ケーブルＣを伝搬してきた信号等の電気が流れる。
【０００７】
図１２はプラグコネクタ３００をリセプタクルコネクタ３０２に接続した状態の縦断面図である。図１２からわかるように、両コネクタは共に基板Ｐに近接した状態で接続される。
【０００８】
このような水平式コネクタ装置に対し、図１３及び図１４に示すように、基板Ｐに取り付けられているリセプタクルコネクタ４０２へ上方からプラグコネクタ４００を移動して両コネクタを接続するコネクタ装置を垂直式コネクタ装置と称する。
【０００９】
垂直式コネクタ装置にあっては、リセプタクルコネクタ４０２上にプラグコネクタ４００が載置される（なお、この明細書において上・下とは、例えば各図に正対した場合における上方側及び下方側を指すものとする。また前・後とは、同軸ケーブルＣをプラグコネクタ１００に取り付けた場合における同軸ケーブルＣの延びる方向においてプラグコネクタ１００のある側が前であり、これと反対側が後である。さらに、左・右とは、前方を向いてその左側及び右側ということにする。）。
【００１０】
前記水平式コネクタ装置にあっては、基板Ｐに当接されたプラグコネクタ３００に対しリセプタクルコネクタ３０２が基板Ｐに近接した状態で接続されるから、リセプタクルコネクタにプラグコネクタが載置される垂直式コネクタ装置よりも低背化が可能であり、機器の薄型に寄与する。しかし、接続する際に作業者の手指が基板Ｐに接触し、作業の妨げとなったり、配線を損傷してしまったりすることになる。
【００１１】
これに対し、垂直式コネクタ装置の場合、プラグコネクタ４００をリセプタクルコネクタ４０２の上方から接続するので、基板Ｐが邪魔になることはなく作業性は良いが、リセプタクルコネクタ４０２にプラグコネクタ４００が積み重なる。このため、両コネクタを接続した時の丈寸法が大きくなり、低背化の点で問題がある。
【００１２】
そこで、作業性に優れるばかりか低背化も可能な垂直式コネクタが提案されている（特許文献１参照）。
図１５及び図１６は、そのような垂直式コネクタの接続構造の一例であって、図１５はリセプタクルコネクタ５０２にプラグコネクタ５００を接続する前の状態を示す縦断面図であり、図１６はリセプタクルコネクタ５０２とプラグコネクタ５００とを接続した状態を示す縦断面図である。
【００１３】
リセプタクルコネクタ５０２には、上方に開放され、プラグコネクタ５００を上から嵌め込むようになっている嵌合凹部５０３が形成されている。よって、プラグコネクタとリセプタクルコネクタとの接続作業性を良好にできるという垂直式コネクタ装置の長所を維持しつつ、プラグコネクタ５００がリセプタクルコネクタ５０２内に入るため、低背化が可能である。
【００１４】
また、リセプタクルコネクタ５０２には、プラグコネクタ５００をリセプタクルコネクタ５０２に接続した時に同軸ケーブルＣの延びを阻害しないように、嵌合凹部５０３に連通する切欠状の開放孔５１０が形成されている（図１５，図１６参照）。このため、嵌合凹部５０３は上方及び後方に開放されることになる。なお、リセプタクルコネクタ５０２のうち開放孔５１０が形成されている部位を、便宜上、ケーブル挿通部といい符号５０２ｂで示す。
【００１５】
ところで、リセ側端子５０５とプラグ側端子５０６との電気的接触を確実にできるように、リセ側端子５０５は、プラグ側端子５０６と当接した際に、リセ側端子５０５とプラグ側端子５０６との間で接触圧力を生じる形状とされている。当該接触圧力は、プラグコネクタ５００とリセプタクルコネクタ５０２との接続状態を維持する力（以下、コネクタ接続状態維持力）としても作用する。
【００１６】
当該コネクタ接続状態維持力は、リセプタクルコネクタ５０２の嵌合凹部５０３にプラグコネクタ５００を内嵌した時にプラグコネクタ５００をリセプタクルコネクタ５０２のケーブル挿通部５０２ｂの側に押し付けるように作用するが、ケーブル挿通部５０２ｂには前記後方に開く開放孔５１０がある。そして、この開放孔５１０がリセプタクルコネクタ５０２の嵌合凹部５０３と連通していることで、リセプタクルコネクタ５０２は上方及び後方に開放される嵌合凹部５０３を有することから、リセプタクルコネクタ５０２の機械的強度はそれだけ弱い。
【００１７】
特に、切欠状の開放孔５１０が形成されているケーブル挿通部５０２ｂ及びその周辺は、プラグコネクタ５００とリセプタクルコネクタ５０２とを接続した際に、前記接触圧力に起因した集中応力が発生する箇所となり、ひずみを生じるようになる。この結果、リセプタクルコネクタ５０２が変形してしまう虞がある。
【００１８】
また、接続されたプラグコネクタ５００とリセプタクルコネクタ５０２とに同軸ケーブルＣが上方にこじられて、プラグコネクタ５００とリセプタクルコネクタ５０２との接続を解除する力が作用したとすると、プラグコネクタ５００がリセプタクルコネクタ５０２から外れてしまい、その結果、コネクタ装置の電気的接続に支障を生じることが考えられる。
【特許文献１】特開２００４−３５５８６３
【発明の開示】
【発明が解決しようとする課題】
【００１９】
本発明はこのような実情に鑑みて為されたものであり、その解決しようとする課題は、プラグコネクタをリセプタクルコネクタに接続した際に、リセプタクルコネクタにおいて接続による集中応力が発生する箇所やその周囲の箇所が変形してしまうことを効果的に防止するとともに、プラグコネクタとリセプタクルコネクタとを接続した後に両コネクタにその接続を解除するような力が作用したとしてもプラグコネクタとリセプタクルコネクタとが外れてしまうことを抑制できる新たな技術を提供することにある。
【課題を解決するための手段】
【００２０】
そこで、本発明では次の手段を採用した。
すなわち、本発明は、ケーブル及びその一端に接続された端子をハウジングに有するコネクタと、このコネクタが接続される相手方コネクタと、を有するコネクタ装置であって、前記相手方コネクタは、相手方ハウジングと、この相手方ハウジングに設けられ、前記コネクタとの接続の際に前記コネクタの端子と接触し、かつ基板に固定される相手方端子と、前記相手方ハウジングにおいて、前記相手方端子の設置箇所と対向する箇所に前記ケーブルが挿通される部位として形成されたケーブル挿通部と、このケーブル挿通部を前記基板に対して固定する固定手段とを有することを特徴とする。
【００２１】
相手方ハウジングのうちケーブル挿通部が形成された部位は、当該挿通部が形成されていない他の部位に比べ強度的に弱い。このため、コネクタを相手方コネクタに接続した際に、相手方コネクタにおいて接続による接触圧力に起因した集中応力が発生する箇所となるが、ケーブル挿通部は固定手段により基板に固定されるので、その強度を高めることができる。
【００２２】
また、前記固定手段は、前記ケーブル挿通部に当接又は埋設されて前記ケーブル挿通部を支持する支持部と、この支持部に一体形成され前記基板に半田付けされる固着部とを有することを特徴としてもよい。ケーブル挿通部が支持部によって支持されてその強度が高まるだけでなく、当該強度が高められたケーブル挿通部が固着部により基板に半田付けされるから、ケーブル挿通部は一層、その強度を高められる。
【００２３】
前記コネクタ及び前記相手側コネクタのうちの少なくとも一方には、両コネクタの接続の際に他方のコネクタに掛止される掛止部を有するようにしてもよい。掛止部により、コネクタと相手方コネクタとがロックされ、両コネクタが外れないようにできる。
【００２４】
さらに掛止部は、前記コネクタ又は前記相手方コネクタに掛止する弾性片であって、前記相手方コネクタ又は前記コネクタには、この弾性片が入る開口が形成されていると好適である。弾性片がコネクタ又は前記相手方コネクタに掛止することで、コネクタと相手方コネクタとの結合が強固になる。そして弾性により、弾性片のコネクタ又は相手方コネクタへの掛止力が高まる。また開口が形成されていると弾性片が開口内に入るため、掛止の度合いが高まりロックが強固になる。
【００２５】
また、前記固定手段は、前記コネクタを前記相手方コネクタに接続した際に前記ケーブ
ルを流れるノイズをグランドに流す金属部材からできていると好適である。
さらに、前記相手方ハウジングは、前記ケーブルを流れるノイズをグランドに流す金属板を備え、この金属板に前記固定手段を形成してもよい。
加えて、金属板の一部に前記掛止部を形成することも考えられる。
【発明の効果】
【００２６】
本発明によれば、コネクタを相手方コネクタに接続した際に、相手方コネクタにおいて接続による集中応力が発生する箇所であるケーブル挿通部は固定手段により基板に固定されるので、その強度を高められる。この結果、コネクタと相手方コネクタとを接続した時のコネクタ側端子と相手側コネクタ側端子との接触圧力に起因した応力が、相手方コネクタにおいて発生しても、ケーブル挿通部、延いてはハウジングが変形してしまうことを効果的に抑制できる。
【００２７】
また、掛止部により、コネクタと相手方コネクタとがロックされ、両コネクタが外れないようにできるので、コネクタと相手方コネクタとを接続した後に両コネクタにその接続を解除するような力が作用したとしてもコネクタと相手方コネクタとが外れてしまうことを抑制できる。
【００２８】
さらに、ケーブルを流れるノイズをグランドに流せるように固定手段を金属板にすることで固定手段の用途が高まる。
【発明を実施するための最良の形態】
【００２９】
本発明の実施の形態（以下、実施形態）を添付した図面を参照して説明する。本実施形態では、垂直式コネクタ装置を適用した場合を例示する。
【００３０】
垂直式コネクタ装置１は、図１〜図３に明らかなように、ケーブル付きプラグコネクタＩのプラグコネクタ１００を、基板Ｐに取着されたリセプタクルコネクタ２０２に嵌合することで接続する。
【００３１】
プラグコネクタ１００は、例えば図１，図４，図６等からわかるように、プラグハウジング１０７と、プラグハウジング１０７をカバーすることでハウジング内部の部品を保持するアッパーシェル１１２とを有している。アッパーシェル１１２は、同軸ケーブルＣを流れるノイズをグランドに流すためのものでもあり、金属などの導電性を有する材料からなる。
【００３２】
プラグハウジング１０７は、合成樹脂その他の絶縁材料から形成されている。そして、図１からわかるように、プラグハウジング１０７の前面部には、同軸ケーブルＣと接続されるプラグ側端子１２１が複数横並びに配設されている。
【００３３】
図４及び図５に示されているように、プラグ側端子１２１は、側面で見て上方に解放された矩形状をしている。そして、プラグコネクタ１００とリセプタクルコネクタ２０２とを接続した際に、リセプタクルコネクタ２０２のリセ側端子２２１と当接するように、プラグ側端子１２１は、その一部がプラグハウジング１０７の前面に露出されている。
【００３４】
同軸ケーブルＣは、図４に示すように、中心に位置する内部導体Ｃ２を内部絶縁体Ｃ４で被覆してなる信号線Ｃ６と、信号線Ｃ６に多数の金属線を縦添えにしたり、横巻き状又は網状等の形態にしたりして覆設する外部導体Ｃ８と、この外部導体Ｃ８を被覆する外部絶縁体Ｃ１０とからなる。
【００３５】
そして、プラグ側端子１２１と接続される同軸ケーブルＣの先端部Ｃａは、外部絶縁体
Ｃ１０及び外部導体Ｃ８が共に剥離されて信号線Ｃ６が露出された部位と、その直後に位置し外部絶縁体Ｃ１０が残っている残皮部分Ｃ１０ａと、残皮部分Ｃ１０ａの直後に位置し外部絶縁体Ｃ１０のみが剥離され外部導体Ｃ８が露出された部位とからなる。
【００３６】
またプラグハウジング１０７には、上方及び後方に開口する凹部１１６が形成され（図４，図５参照）、凹部１１６には、複数の同軸ケーブルＣの先端部Ｃａを横断状に交差した状態で保持する第１ケーブル保持具１０８，第２ケーブル保持具１１０が内嵌されている。
【００３７】
第１ケーブル保持具１０８は、凹部１１６の前方に取付けられた板状体であり（図４，図５，図６参照）、第１ケーブル保持具１０８がプラグハウジング１０７に取り付けられると、同軸ケーブルＣの信号線Ｃ６の内部絶縁体Ｃ４を上から押圧した状態で保持する（図４，図５参照）。信号線Ｃ６を第１ケーブル保持具１０８で保持するに当り、第１ケーブル保持具１０８を凹部１１６に取付けると、その時の押圧力により、同軸ケーブルＣの内部絶縁体Ｃ４が、プラグ側端子１２１との圧接により破れて内部導体Ｃ２を露出し、露出した内部導体Ｃ２とプラグ側端子１２１とが電気的に接続される。
【００３８】
第２ケーブル保持具１１０は、導電性に優れた金属からなる横断面形状が逆Ｕ字状をした中空棒状体であり（図４，図５及び図６参照）、第１ケーブル保持具１０８の後方に位置する。そして、第２ケーブル保持具１１０を凹部１１６に取付けると、その時の押圧力により、同軸ケーブルＣの先端部Ｃａにおける外部導体Ｃ８とその直後に位置する外部絶縁体Ｃ１０とを、プラグハウジング１０７とにより上下で挟持する（図４，図５及び図６参照）。
【００３９】
さらにプラグハウジング１０７は、凹部１１６内の第２ケーブル保持具１１０に対向する箇所に良導体１１９（図４，図５参照）を有する。良導体１１９は、金属などの導電性に優れた材料からできており、プラグハウジング１０７に一体成形され、全ての同軸ケーブルＣの外部導体Ｃ８と電気的に接触されている。
【００４０】
また、図４及び図５に示されるように、プラグコネクタ１００をリセプタクルコネクタ２０２に接続したとき、良導体１１９は後述する金属板２０９の後縁面２１３Ｒに当接する。後縁面２１３Ｒについてはリセプタクルコネクタ２０２の説明で詳述する。なお、良導体１１９は、プラグハウジング１０７に必ずしも一体成形されなくてもよく、圧入や接着によって配設されてもよい。
【００４１】
プラグハウジング１０７をカバーするアッパーシェル１１２は、図６に示すように、矩形状の上壁１１２Ｕと、この上壁１１２Ｕに対してＬ字形に折り曲げられた左右の側壁１１２Ｌ・１１２Ｒとを有し、上壁１１２Ｕ及び側壁１１２Ｌ・１１２Ｒでプラグハウジング１０７の上面，側面及び下面の一部を保持する。
【００４２】
前記側壁１１２Ｌ・１１２Ｒには、係止窓ｈ２が形成されている（図１，図２及び図６参照）。係止窓ｈ２は、プラグハウジング１０７の両側縁に設けられかつ側方へ突出する係合子ｈ１と、アッパーシェル１１２でプラグハウジング１０７をカバーした時に係合される。係止窓ｈ２と係合子ｈ１とが係合することで、アッパーシェル１１２のプラグハウジング１０７からの抜けを防止する。
【００４３】
また、前記上壁１１２Ｕには、内側に折り曲げられた一対の曲げ片１１２ａが形成されている。
一対の曲げ片１１２ａは、アッパーシェル１１２でプラグハウジング１０７をカバーした時に第２ケーブル保持具１１０に当接することにより（図５参照）、同軸ケーブルＣの
外部導体Ｃ８を流れるノイズを、第２ケーブル保持具１１０を介して、アッパーシェル１１２からやがてグランドに流すためのものである。ノイズを除去するルートについては、作用効果の項で詳しく説明する。
【００４４】
さらに、上壁１１２Ｕの後端縁の左右両端部は、Ｌ字形に折り曲げられた折曲部１１２ｅがそれぞれ形成されている（図６参照）。
折曲部１１２ｅは、その後面に符号１１４で示す開口が形成されている（図２，図６，図８〜図１０参照）。
【００４５】
アッパーシェル１１２の上壁１１２Ｕの後端縁のうち、折曲部１１２ｅの間の部分は、折曲部１１２ｅよりも短めに下方に折り曲げられた一対の下向き片１１２ｆとされている（図２，図４，図６等参照）。
下向き片１１２ｆを形成することにより、アッパーシェル１１２の上壁１１２Ｕの後縁中央部には、切欠き部１１３が形成される（図２，図４，図６等参照）。
【００４６】
なお、同軸ケーブルＣをプラグコネクタ１００に取り付けるにあたり、同軸ケーブルＣは、予めその先端部Ｃａの外皮が剥離され、信号線Ｃ６と外部導体Ｃ８とが露出された状態にある（図４，図５参照）。
信号線Ｃ６にとっての外皮は外部導体Ｃ８と外部絶縁体Ｃ１０であり、外部導体Ｃ８にとっての外皮は外部絶縁体Ｃ１０である（図４，図５参照）。
【００４７】
次に、図１〜図５等を参照して、リセプタクルコネクタ２０２について述べる。
リセプタクルコネクタ２０２は、その全体形状が扁平直方体形状のリセプタクルハウジング２０７と、リセプタクルハウジング２０７に配設された金属板２０９とからなる。
【００４８】
リセプタクルハウジング２０７は、合成樹脂その他の絶縁材料から形成されている。そして、リセプタクルハウジング２０７の中央部には、プラグコネクタ１００が内嵌される嵌合凹部２０３を有する。
【００４９】
嵌合凹部２０３は、前方及び後方に位置する一対の前方長縁壁２０４Ｆ・後方長縁壁２０４Ｒと、これら長縁壁２０４Ｆ・２０４Ｒを連結する左方短縁壁２０５Ｌ・右方短縁壁２０５Ｒと、底板２０６とにより囲繞されて形成されるものであり、後方長縁壁２０４Ｒの中央部には、嵌合凹部２０３に連通する切欠状で矩形の開放孔２３２が形成されている。それ故、嵌合凹部２０３は、上方及び後方に開放されるようになる（例えば図１及び図３参照）。
【００５０】
開放孔２３２は、プラグコネクタ１００をリセプタクルコネクタ２０２に接続した時に同軸ケーブルＣの延びを阻害しないようにするためのものである。開放孔２３２の長さ寸法は、ケーブル付きプラグコネクタＩのケーブル幅よりもわずかに大きめに形成されている。開放孔２３２が形成されている後方長縁壁２０４Ｒをケーブル挿通部ということにする。
【００５１】
嵌合凹部２０３の平面形状は、次に詳述する前記金属板２０９の形状に左右される。なお、金属板２０９を明示するため、図中、金属板２０９には、グラデーションを付してある。
【００５２】
図７に示すように、金属板２０９は、平面形状で長四角形状をしており、その中央は大きく開口する。そして、対向する一対の長辺が折り曲げられて、端面形状が扁平逆Ｕ字形をしている形状体であり（なお前記開口を符号２１１ａで示す。）、開口２１１ａを有する主面２１１と、前縁面２１３Ｆと、後縁面２１３Ｒとからなる。開口２１１ａは打抜き
加工により形成され、主面２１１のうち、一方の長縁を除く他の長縁及び残りの短縁は、所定幅を有する残留部とされ、それぞれ前方残留部２１１Ｆ，左残留部２１１Ｌ及び右残留部２１１Ｒで示す。
【００５３】
前方残留部２１１Ｆには、その両端近傍に矩形状の切り欠き２１２Ｌ・２１２Ｒが形成され、当該切り欠き２１２Ｌ・２１２Ｒの間は中央部２１２Ｍとされている。
また、左残留部２１１Ｌ及び右残留部２１１Ｒのほぼ中央部には、内側に垂れ下がった耳片２１５がそれぞれ対向する位置に形成されている。
【００５４】
左右の耳片２１５は、リセプタクルコネクタ２０２とプラグコネクタ１００とを接続したときにプラグコネクタ１００のアッパーシェル１１２の左右の側壁１１２Ｌ・１１２Ｒと当接する部分であり（図２及び図３参照）、耳片２１５を押圧すると弾撥する。
また、金属板２０９の後縁面２１３Ｒは、その中央部が上方に開放された矩形状の切り欠き２１７が打抜き形成され、後縁面２１３Ｒの両端部にはそれぞれ内側に折り曲げられた内曲片２１９が形成されている。
【００５５】
切り欠き２１７は、リセプタクルハウジング２０７の後方長縁壁２０４Ｒの開放孔２３２と合致するようにその大きさ及び形状が決められている。後縁面２１３Ｒは、後方長縁壁２０４Ｒを補強してその強度を高めるためのものである。
【００５６】
また内曲片２１９は、図８からわかるように内側に折り曲げられた一端固定他端自由な片持ち梁状の金属片であるから、プラグコネクタ１００をリセプタクルコネクタ２０２に接続した際に先端側に外力を受けると弾性を生じるようになる。また内曲片２１９は、プラグコネクタ１００をリセプタクルコネクタ３０２に接続した際に、アッパーシェル１１２の前記折曲部１１２ｅに形成された開口１１４と対向する位置関係にある。よってプラグコネクタ１００をリセプタクルコネクタ３０２に接続すると、内曲片２１９は、前記弾性により開口１１４に掛止する。よって内曲片２１９は掛止部（弾性片）といえる。
【００５７】
そして、金属板２０９の後縁面２１３Ｒの下縁のうち前記切り欠き２１７の両端部に対する箇所には、外方に折り曲げられた一対の外曲片２２２が一体形成されている。後縁面２１３Ｒのうち外曲片２２２を含む部分の横断面形状は、図４に示した状態で見るとＬの字を横倒しにした如き形状をしている。
【００５８】
このような形態の金属板２０９が配設されるリセプタクルハウジング２０７は、金属板２０９の後縁面２１３Ｒがリセプタクルハウジング２０７の後方長縁壁２０４Ｒの内面と対向し、金属板２０９の前縁面２１３Ｆがリセプタクルハウジング２０７の前方長縁壁２０４Ｆと対向し、金属板２０９の両端がリセプタクルハウジング２０７の左方短縁壁２０５Ｌ及び右方短縁壁２０５Ｒとそれぞれ対向する状態になるように、金属板２０９を合成樹脂その他の絶縁材料によって封止する一体成形により形成される。
【００５９】
なお、金属板２０９は必ずしも一体成形で配設されなくてもよく、リセプタクルハウジング２０７への圧入や接着によって配設してもよい。要するにリセプタクルハウジング２０７と金属板２０９とは当接状態にあればよい。また、後縁面２１３Ｒは、リセプタクルハウジング２０７の後方長縁壁２０４Ｒの外面と当接されるようにしても、後方長縁壁２０４Ｒに埋設されるようにしてもよい。
【００６０】
そして、金属板２０９が配設されているリセプタクルハウジング２０７の後方長縁壁２０４Ｒのうち内曲片２１９に対する箇所は開口２２３が形成され（図２，図３参照）、一対の外曲片２２２に対する箇所は下方及び後方に開口された凹部２２４（図２，図３参照）が形成されている。
【００６１】
また、リセプタクルハウジング２０７の前方長縁壁２０４Ｆのうち、金属板２０９の中央部２１２Ｍに対する箇所は、側面で横倒しＳ字形状をしたリセ側端子２２１を、リセプタクルハウジング２０７の長縁に沿って並列できるように成形されている（図２，図４及び図５参照）。当該箇所をリセ側端子配置箇所といい符合２０４Ｆｍで示す。
【００６２】
リセ側端子配置箇所２０４Ｆｍに配列されるリセ側端子２２１の数は、プラグ側端子１２１の数と同じである。
そして、これら複数のリセ側端子２２１が並列されたリセ側端子配置箇所２０４Ｆｍの長さ寸法（左右方向における寸法）にほぼ合致して、リセプタクルハウジング２０７の後方長縁壁２０４Ｒに形成された前記開放孔２３２の長さが設定されている。
【００６３】
また、プラグコネクタ１００とリセプタクルコネクタ２０２とを接続すると、リセ側端子２２１とプラグ側端子１２１とが当接し、リセ側端子２２１がプラグ側端子１２１からの押圧力により圧縮され、前後方向に押し縮められるようになる（図４，図５参照）。そして、リセ側端子２２１はその形状がＳ字形状であるが故、押し縮められると弾性を生じるようになり、プラグ側端子１２１との間で接触圧力を生じる。当該接触圧力は、コネクタ接続状態維持力として作用し、プラグコネクタ１００とリセプタクルコネクタ２０２との接続状態を維持する。
【００６４】
次にこのようなプラグコネクタ１００とリセプタクルコネクタ２０２とからなる垂直式コネクタ装置１の作用効果について説明する。
プラグコネクタ１００とリセプタクルコネクタ２０２とを接続する前にリセプタクルコネクタ２０２を基板Ｐに取着する。この取着にあたり、リセ側端子２２１と基板Ｐとを半田付けすると共に、一対の外曲片２２２を基板Ｐに半田付けして固着（固定）する。
【００６５】
このようにすることで、プラグコネクタ１００をリセプタクルコネクタ２０２に接続した際に同軸ケーブルＣの外部導体Ｃ８を伝搬するノイズや、基板Ｐ及びその周辺に接続されている電気／電子部品から発生し、信号へ影響を与えるノイズは、外部導体Ｃ８−第２ケーブル保持具１１０−アッパーシェル１１２の一対の曲げ片１１２ａ−上壁１１２Ｕ−左右の側壁１１２Ｌ・１１２Ｒ−金属板２０９の左右の耳片２１５−金属板２０９の左残留部２１１Ｌ（又は右残留部２１１Ｒ）−後縁面２１３Ｒ−外曲片２２２−基板Ｐの図示しないグランドラインというルートで除去される。
【００６６】
また、プラグコネクタ１００をリセプタクルコネクタ２０２に接続したときに、内曲片２１９は図１０に示すようにアッパーシェル１１２の折曲部１１２ｅと接触している。このため、内曲片２１９経由でもプラグコネクタ１００をリセプタクルコネクタ２０２に接続したときに同軸ケーブルＣの外部導体Ｃ８を伝搬するノイズは、基板Ｐに落とされる。その場合の経路は、外部導体Ｃ８−第２ケーブル保持具１１０−アッパーシェル１１２の一対の曲げ片１１２ａ−アッパーシェル１１２の折曲部１１２ｅ−金属板２０９の内曲片２１９−後縁面２１３Ｒ−外曲片２２２−基板Ｐのグランドラインである。
【００６７】
さらにこれらのルート以外に同軸ケーブルＣの外部導体Ｃ８を流れる前記ノイズを除去するルートは、外部導体Ｃ８−良導体１１９−一対の外曲片２２２−基板Ｐのグランドラインというルートがある。
【００６８】
同軸ケーブルＣの外部導体Ｃ８と外曲片２２２との距離が短いほど、信号への影響を少なくすることができ、この結果、信号への影響を抑制できる。その意味では最後のルートが前二者のルートよりも短い。
上記の説明より、アッパーシェル１１２、金属板２０９及び良導体１１９は、同軸ケー
ブルＣを流れるノイズをグランドに流すためのものとなる。
【００６９】
そして、プラグコネクタ１００をリセプタクルコネクタ２０２の嵌合凹部２０３に嵌め込むと、Ｓ字のリセ側端子２２１が弾性変形し（図４，図５参照）、プラグ側端子１２１とリセ側端子２２１との間で接触圧力を生じる。
【００７０】
当該接触圧力によりプラグコネクタ１００はその全体が後方長縁壁２０４Ｒの側に移動されるようになり、その時の押圧力によって後方長縁壁２０４Ｒを撓ませるようになる。また後方長縁壁２０４Ｒには、開放孔２３２が形成されているから、後方長縁壁２０４Ｒには集中応力が生じるようになる。
【００７１】
しかし、リセプタクルハウジング２０７の後方長縁壁２０４Ｒには、後方長縁壁２０４Ｒを補強してその強度を高める金属板２０９の後縁面２１３Ｒが支持部として機能する。よって、後方長縁壁２０４Ｒに開放孔２３２が形成されていても後方長縁壁２０４Ｒの強度を高められる。
【００７２】
また、後縁面２１３Ｒには、その一部分である一対の外曲片２２２が基板Ｐに半田付けして固着されているので、プラグコネクタ１００とリセプタクルコネクタ２０２とを接続した時のプラグ側端子１２１とリセ側端子２２１との接触圧力に起因した集中応力が、リセプタクルハウジング２０７の後方長縁壁２０４Ｒに生じても、一対の外曲片２２２を介して、後方長縁壁２０４Ｒを基板Ｐに固定できるので、後方長縁壁２０４Ｒは、開放孔２３２の有無に拘らずがその強度を高めることができる。この結果、後方長縁壁２０４Ｒ、延いては、リセプタクルハウジング２０７が変形してしまうことを効果的に抑制できる。この関係で、外曲片２２２を含む後縁面２１３Ｒは、後方長縁壁２０４Ｒを基板Ｐに対して固定する固定手段といえる。
【００７３】
また、一対の外曲片２２２は、金属板２０９の一部であって、金属板２０９は、リセプタクルハウジング２０７内に配設されているので、後方長縁壁２０４Ｒの強度を高めるために一対の外曲片２２２を別途用意する必要もなく作業性が向上し、また部品点数を削減できる。
【００７４】
さらに、内曲片２１９は、プラグコネクタ１００をリセプタクルコネクタ２０２に接続した際に、アッパーシェル１１２の前記折曲部１１２ｅに形成された開口１１４と掛止されるので、プラグコネクタ１００と、リセプタクルコネクタ２０２とのロックが強固になる（図８及び図９参照）。
【００７５】
よって、接続されたプラグコネクタ１００とリセプタクルコネクタ２０２とに同軸ケーブルＣが上方にこじられて、プラグコネクタ１００とリセプタクルコネクタ２０２との接続を解除する力が作用しても、プラグコネクタ１００がリセプタクルコネクタ２０２から外れてしまうことを抑制できる。
【００７６】
この結果、電気的接続に支障を生じることもない。
また、開口１１４があると、内曲片２１９がプラグコネクタ１００に深く入り込み易くなり、ロックが強固になる（図１０参照）。
【００７７】
加えて、本発明は、上述の図示例にのみ限定されるものではなく、本発明の要旨を逸脱しない範囲内において種々変更を加え得ることは勿論である。
例えば、上述の実施形態では、内曲片２１９をリセプタクルコネクタ２０２に設け、内曲片２１９が掛止する開口１１４をプラグコネクタ１００に設けたものを開示したが、内曲片２１９及び開口１１４の設置箇所を入れ替え、プラグコネクタ１００に内曲片２１９
を設け、リセプタクルコネクタ２０２に開口１１４を設けることもできる。
【００７８】
そして、この実施形態では、外曲片２２２が金属板２０９の一部として形成されているものを開示したが、外曲片２２２を金属板２０９とは別の金属部材とし別個に設け、当該外曲片２２２をケーブルＣを流れるノイズをグランドに流し、かつ単独で、後方長縁壁２０４Ｒを基板Ｐに取り付けるための固定手段にすることもできる。
【００７９】
加えて、外曲片２２２を有する後縁面２１３Ｒを金属板２０９の一部ではなく、別の金属部材として設けてもよい。
さらに、アッパーシェル１１２と電気的に接続されている金属板２０９の一部に基板Ｐと電気的に接続するグランド端子を設け、当該グランド端子を介してケーブルＣを流れるノイズの除去に適用させてもよい。
【００８０】
また、垂直式コネクタだけでなく、水平式コネクタ装置に適用することもできる。水平式コネクタ装置にあっても、そのコネクタを相手方コネクタに接続した際に相手方コネクタにおいて接続によるプラグ側端子とリセ側端子との接触圧力による集中応力が発生する箇所はあり得る。したがって、当該箇所を固定手段により基板に対して固着すれば、当該集中応力が発生する箇所を基板に対して固定できるので、その強度を高めることができる。したがって、当該集中応力が発生する箇所やその周囲の変形を抑制することができる。
【図面の簡単な説明】
【００８１】
【図１】本発明に係る垂直式コネクタ装置のリセプタクルコネクタ及びプラグコネクタを接続する前の状態を斜め上前方から見た分解斜視図である。
【図２】本発明に係るコネクタ装置のリセプタクルコネクタ及びプラグコネクタを接続する前の状態を斜め上後方から見た分解斜視図である。
【図３】図２の状態のリセプタクルコネクタ及びプラグコネクタを接続した状態を示す斜視図である。
【図４】図１のＡ−Ａ線断面図である。
【図５】図３のＢ−Ｂ線断面図である。
【図６】プラグコネクタのハウジングにアッパーシェルをカバーする前の状態を示す斜視図である。
【図７】金属板を斜め上後方から見た斜視図である。
【図８】図１のＣ−Ｃ線断面図である。
【図９】図３のＤ−Ｄ線に沿った断面図である。
【図１０】図９の要部拡大図である。
【図１１】従来技術を説明するための図であって、水平式コネクタ装置のプラグコネクタをリセプタクルコネクタに接続する前の状態を示す斜視図である。
【図１２】図１１の状態のリセプタクルコネクタ及びプラグコネクタを組み付けた状態での縦断面である。
【図１３】垂直式コネクタ装置のプラグコネクタをリセプタクルコネクタに接続する前の状態の縦断面図である。
【図１４】図１３リセプタクルコネクタ及びプラグコネクタを組み付けた状態を示す縦断面である。
【図１５】従来技術を説明するための図であって、別の垂直式コネクタ装置のプラグコネクタをリセプタクルコネクタに接続する前の状態を示す斜視図である。
【図１６】図１５のリセプタクルコネクタ及びプラグコネクタを組み付けた状態を示す縦断面である。
【符号の説明】
【００８２】
１  垂直式コネクタ装置
１００  プラグコネクタ（コネクタ）
１０７  プラグハウジング（ハウジング）
１０８  第１ケーブル保持具
１１０  第２ケーブル保持具
１１２  アッパーシェル
１１２Ｌ  左側壁
１１２Ｒ  右側壁
１１２Ｕ  上壁
１１２ａ  曲げ片
１１２ｅ  折曲部
１１２ｆ  下向き片
１１３  切欠き部
１１４  開口
１１６  凹部
１１９  良導体
１２１  プラグ側端子（端子）
２０２  リセプタクルコネクタ（相手方コネクタ）
２０３  嵌合凹部
２０４Ｆ  前方長縁壁
２０４Ｆｍ  リセ側端子配置箇所
２０４Ｒ  後方長縁壁（集中応力が発生する箇所，ケーブル挿通部）
２０５Ｌ  左方短縁壁
２０５Ｒ  右方短縁壁
２０６  底板
２０７  リセプタクルハウジング（相手方ハウジング）
２０９  金属板
２１１  主面
２１１Ｆ  前方残留部
２１１Ｌ  左残留部
２１１Ｒ  右残留部
２１１ａ  主面の開口
２１２Ｍ  中央部
２１２  Ｌ  切り欠き
２１２Ｒ  切り欠き
２１３Ｆ  前縁面
２１３Ｒ  後縁面（固定手段，支持部）
２１５  耳片
２１７  切り欠き
２１９  内曲片（弾性片，掛止部）
２２１  リセ側端子（相手方端子）
２２２  外曲片（固着部，固定手段）
２２３  開口
２２４  凹部
２３２  開放孔
３００  プラグコネクタ
３０２  リセプタクルコネクタ
４００  プラグコネクタ
４０２  リセプタクルコネクタ
５００  プラグコネクタ
５０２  リセプタクルコネクタ
５０２ｂ  ケーブル挿通部
５０３  嵌合凹部
５０５  リセ側端子
５０６  プラグ側端子
５１０  開放孔
Ｃ  同軸ケーブル
Ｃ１０  外部絶縁体
Ｃ１０ａ  残皮部分
Ｃ２  内部導体
Ｃ４  内部絶縁体
Ｃ６  信号線
Ｃ８  外部導体
Ｃａ  同軸ケーブルの先端部
Ｉ  ケーブル付きプラグコネクタ
Ｐ  基板
ｈ１  係合子
ｈ２  係止窓
【図１】
2006344524.tif 000003
【図２】
2006344524.tif 000004
【図３】
2006344524.tif 000005
【図４】
2006344524.tif 000006
【図５】
2006344524.tif 000007
【図６】
2006344524.tif 000008
【図７】
2006344524.tif 000009
【図８】
2006344524.tif 000010
【図９】
2006344524.tif 000011
【図１０】
2006344524.tif 000012
【図１１】
2006344524.tif 000013
【図１２】
2006344524.tif 000014
【図１３】
2006344524.tif 000015
【図１４】
2006344524.tif 000016
【図１５】
2006344524.tif 000017
【図１６】
2006344524.tif 000018